【手続補正書】
【提出日】平成15年10月17日(2003.10.17)
【手続補正１】
【補正対象書類名】明細書
【補正対象項目名】発明の名称
【補正方法】変更
【補正の内容】
【発明の名称】情報検索方法および情報検索装置
【手続補正２】
【補正対象書類名】明細書
【補正対象項目名】特許請求の範囲
【補正方法】変更
【補正の内容】
【特許請求の範囲】
【請求項１】
個々に情報検索条件が予め設定された複数のエージェントの中からユーザが選択したエージェントによって情報検索を行う際、ユーザからの指示により前記予め設定された情報検索条件を音声出力手段によって音声で順次提示することを特徴とする情報検索方法。
【請求項２】
情報検索条件にしたがって情報検索を行うエージェントと、前記情報検索の結果を提示するエージェントを異なるエージェントとすることを特徴とする請求項１に記載の情報検索方法。
【請求項３】
個々に情報検索条件が設定された複数のエージェントの中からユーザが選択したエージェントによって情報検索を行う情報検索方法において、前記情報検索条件を追加登録するときには、前記追加登録する情報検索条件を既存の情報検索条件の中に編入し、前記既存の情報検索条件と同一のものが存在するときには前記追加登録を行わないことを特徴とする請求項１または請求項２に記載の情報検索方法。
【請求項４】
個々に情報検索条件が設定された複数のエージェントの中からユーザが選択したエージェントによって情報検索を行う情報検索方法において、前記情報検索条件を追加登録するときには、前記追加登録する情報検索条件が、既存の情報検索条件と矛盾するかを検査し、矛盾するときには登録を拒否するか、または前記追加登録する情報検索条件と前記既存の情報検索条件とのどちらを登録とするかを決定することを特徴とする請求項１ないし請求項３のいずれかに記載の情報検索方法。
【請求項５】
前記情報検索を行う際に、前記ユーザと前記エージェントの音声対話を用いることを特徴とする請求項１ないし請求項４のいずれかに記載の情報検索方法。
【請求項６】
前記エージェントが前記情報検索条件を用いて複数の予め定めた情報源を情報検索するとともに、前記情報検索の結果を一定時間毎に通知することを特徴とする請求項１ないし請求項５のいずれかに記載の情報検索方法。
【請求項７】
前記エージェントが前記情報検索条件を用いて複数の予め定めた情報源を情報検索するとともに、前記情報検索の結果が予め設定した件数に達したときに通知することを特徴とする請求項１ないし請求項５のいずれかに記載の情報検索方法。
【請求項８】
前記エージェントが前記情報検索条件を用いて複数の予め定めた情報源を情報検索するとともに、前記情報検索の結果得られたデータの総量が予め設定した制限容量に達したときに通知することを特徴とする請求項１ないし請求項５のいずれかに記載の情報検索方法。
【請求項９】
予め定めた複数のエージェントを保持する手段と、前記複数のエージェントのそれぞれの情報検索条件を予め記憶する記憶手段と、ユーザからの指示を解釈する手段と、前記解釈の結果に応じて前記エージェントの予め記憶された情報検索条件を録音音声または合成音声によって読み上げる手段とを備えたことを特徴とする情報検索装置。
【請求項１０】
前記ユーザと対話し内在する情報検索条件にしたがって検索を行うエージェントと、前記検索による情報を提示するエージェントを異なるエージェントで動作させる手段とを備えたことを特徴とする請求項９に記載の情報検索装置。
【請求項１１】
前記情報検索条件を入力する手段と、前記記憶手段に記憶された情報検索条件と前記入力された前記情報検索条件とに同一のものが無いか判定する手段と、前記同一のものが存在するときには前記同一のものを除いて、前記同一のものを除いたことを音声で出力する手段とを備えたことを特徴とする請求項９または請求項１０に記載の情報検索装置。
【請求項１２】
ユーザが追加登録しようとする情報検索条件を入力する手段と、前記ユーザが追加登録しようとする情報検索条件の意味を理解する意味理解手段と、前記エージェントに前記記憶手段に記憶された既存の情報検索条件の意味と前記追加登録しようとする前記情報検索条件の意味との矛盾を検出する手段と、前記矛盾が検出されたときには前記ユーザからの追加登録を拒否するか、または前記入力された情報検索条件と前記既存の情報検索条件のどちらを選択するかを前記ユーザに問い合せて前記情報検索条件の記憶領域に登録し直す手段とを備えたことを特徴とする請求項９ないし請求項１１のいずれかに記載の情報検索装置。
【請求項１３】
前記エージェントに内在する情報検索条件にしたがって複数の情報源を切り替えながら検索する手段と、前記検索の結果の情報を記憶する手段と、予め定めた一定の時間が経過する毎か、または一定の時刻になる毎に、前記検索の結果を通知する手段とを備えたことを特徴とする請求項９ないし請求項１２のいずれかに記載の情報検索装置。
【請求項１４】
前記エージェントに内在する情報検索条件にしたがって複数の情報源を切り替えながら検索する手段と、前記検索の結果の情報を記憶する手段と、前記記憶した件数が予め設定した件数に達したとき前記検索の結果を報告する手段とを備えたことを特徴とする請求項９ないし請求項１２のいずれかに記載の情報検索装置。
【請求項１５】
前記エージェントに内在する情報検索条件にしたがって複数の情報源を切り替えながら検索する手段と、前記検索の結果の情報を記憶する手段と、前記データ総量が予め設定した上限値に達したとき前記検索の結果を報告する手段とを備えたことを特徴とする請求項９ないし請求項１２のいずれかに記載の情報検索装置。
【手続補正３】
【補正対象書類名】明細書
【補正対象項目名】０００７
【補正方法】変更
【補正の内容】
【０００７】
【課題を解決するための手段】
本発明のエージェントを用いた情報検索方法は、個々に情報検索条件が予め設定された複数のエージェントの中からユーザが選択したエージェントによって情報検索を行う際、ユーザからの指示により前記予め設定された情報検索条件を音声出力手段によって音声で順次提示することとした。


【手続補正４】
【補正対象書類名】明細書
【補正対象項目名】０００８
【補正方法】変更
【補正の内容】
【０００８】
この方法により、ユーザの簡単な指示をもとに自律的に情報検索を行い、時間と手間をかけずに容易に広範な情報源から該当情報を得ることができる。


【手続補正５】
【補正対象書類名】明細書
【補正対象項目名】０００９
【補正方法】変更
【補正の内容】
【０００９】
また、情報検索条件にしたがって情報検索を行うエージェントと、前記情報検索の結果を提示するエージェントを異なるエージェントとすることとした。


【手続補正６】
【補正対象書類名】明細書
【補正対象項目名】００１０
【補正方法】変更
【補正の内容】
【００１０】
この方法により、ユーザのエージェントに対する興味を持続させることができる。


【手続補正７】
【補正対象書類名】明細書
【補正対象項目名】００１１
【補正方法】変更
【補正の内容】
【００１１】
また、個々に情報検索条件が設定された複数のエージェントの中からユーザが選択したエージェントによって情報検索を行う情報検索方法において、前記情報検索条件を追加登録するときには、前記追加登録する情報検索条件を既存の情報検索条件の中に編入し、前記既存の情報検索条件と同一のものが存在するときには前記追加登録を行わないこととした。


【手続補正８】
【補正対象書類名】明細書
【補正対象項目名】００１２
【補正方法】変更
【補正の内容】
【００１２】
この方法により、ユーザは検索したい情報を確実に検索することができる。


【手続補正９】
【補正対象書類名】明細書
【補正対象項目名】００１３
【補正方法】変更
【補正の内容】
【００１３】
また、個々に情報検索条件が設定された複数のエージェントの中からユーザが選択したエージェントによって情報検索を行う情報検索方法において、前記情報検索条件を追加登録するときには、前記追加登録する情報検索条件が、既存の情報検索条件と矛盾するかを検査し、矛盾するときには登録を拒否するか、または前記追加登録する情報検索条件と前記既存の情報検索条件とのどちらを登録とするかを決定することとした。


【手続補正１０】
【補正対象書類名】明細書
【補正対象項目名】００１４
【補正方法】変更
【補正の内容】
【００１４】
この方法により、ユーザは選択したエージェントが適切なものであったことを容易に判定することができる。


【手続補正１１】
【補正対象書類名】明細書
【補正対象項目名】００１５
【補正方法】変更
【補正の内容】
【００１５】
また、前記情報検索を行う際に、前記ユーザと前記エージェントの音声対話を用いることとした。


【手続補正１２】
【補正対象書類名】明細書
【補正対象項目名】００１６
【補正方法】変更
【補正の内容】
【００１６】
この方法により、ユーザは追加登録の負担を軽減することができる。


【手続補正１３】
【補正対象書類名】明細書
【補正対象項目名】００１７
【補正方法】変更
【補正の内容】
【００１７】
また、前記エージェントが前記情報検索条件を用いて複数の予め定めた情報源を情報検索するとともに、前記情報検索の結果を一定時間毎に通知することとした。


【手続補正１４】
【補正対象書類名】明細書
【補正対象項目名】００１８
【補正方法】変更
【補正の内容】
【００１８】
この方法により、ユーザがエージェントを呼び出す手間を省くことができる。


【手続補正１５】
【補正対象書類名】明細書
【補正対象項目名】００１９
【補正方法】変更
【補正の内容】
【００１９】
また、前記エージェントが前記情報検索条件を用いて複数の予め定めた情報源を情報検索するとともに、前記情報検索の結果が予め設定した件数に達したときに通知することとした。


【手続補正１６】
【補正対象書類名】明細書
【補正対象項目名】００２０
【補正方法】変更
【補正の内容】
【００２０】
この方法により、ユーザがエージェントを呼び出す手間を省くことができる。


【手続補正１７】
【補正対象書類名】明細書
【補正対象項目名】００２１
【補正方法】変更
【補正の内容】
【００２１】
また、前記エージェントが前記情報検索条件を用いて複数の予め定めた情報源を情報検索するとともに、前記情報検索の結果得られたデータの総量が予め設定した制限容量に達したときに通知することとした。


【手続補正１８】
【補正対象書類名】明細書
【補正対象項目名】００２２
【補正方法】変更
【補正の内容】
【００２２】
この方法により、ユーザがエージェントを呼び出す手間を省くことができる。


【手続補正１９】
【補正対象書類名】明細書
【補正対象項目名】００２３
【補正方法】変更
【補正の内容】
【００２３】
また、予め定めた複数のエージェントを保持する手段と、前記複数のエージェントのそれぞれの情報検索条件を予め記憶する記憶手段と、ユーザからの指示を解釈する手段と、前記解釈の結果に応じて前記エージェントの予め記憶された情報検索条件を録音音声または合成音声によって読み上げる手段とを備えた構成とする。


【手続補正２０】
【補正対象書類名】明細書
【補正対象項目名】００２４
【補正方法】変更
【補正の内容】
【００２４】
この構成により、ユーザの簡単な指示をもとに自律的に情報検索を行い、時間と手間をかけずに容易に広範な情報源から該当情報を得ることができる。


【手続補正２１】
【補正対象書類名】明細書
【補正対象項目名】００２５
【補正方法】変更
【補正の内容】
【００２５】
また、前記ユーザと対話し内在する情報検索条件にしたがって検索を行うエージェントと、前記検索による情報を提示するエージェントを異なるエージェントで動作させる手段とを備えた構成とする。


【手続補正２２】
【補正対象書類名】明細書
【補正対象項目名】００２６
【補正方法】変更
【補正の内容】
【００２６】
この構成により、ユーザのエージェントに対する興味を持続させることができる。


【手続補正２３】
【補正対象書類名】明細書
【補正対象項目名】００２７
【補正方法】変更
【補正の内容】
【００２７】
また、前記情報検索条件を入力する手段と、前記記憶手段に記憶された情報検索条件と前記入力された前記情報検索条件とに同一のものが無いか判定する手段と、前記同一のものが存在するときには前記同一のものを除いて、前記同一のものを除いたことを音声で出力する手段とを備えた構成とする。


【手続補正２４】
【補正対象書類名】明細書
【補正対象項目名】００２８
【補正方法】変更
【補正の内容】
【００２８】
この構成により、ユーザは検索したい情報を確実に検索することができる。


【手続補正２５】
【補正対象書類名】明細書
【補正対象項目名】００２９
【補正方法】変更
【補正の内容】
【００２９】
また、ユーザが追加登録しようとする情報検索条件を入力する手段と、前記ユーザが追加登録しようとする情報検索条件の意味を理解する意味理解手段と、前記エージェントに前記記憶手段に記憶された既存の情報検索条件の意味と前記追加登録しようとする前記情報検索条件の意味との矛盾を検出する手段と、前記矛盾が検出されたときには前記ユーザからの追加登録を拒否するか、または前記入力された情報検索条件と前記既存の情報検索条件のどちらを選択するかを前記ユーザに問い合せて前記情報検索条件の記憶領域に登録し直す手段とを備えた構成とする。


【手続補正２６】
【補正対象書類名】明細書
【補正対象項目名】００３０
【補正方法】変更
【補正の内容】
【００３０】
この構成により、ユーザは選択したエージェントが適切なものであったことを容易に判定することができる。


【手続補正２７】
【補正対象書類名】明細書
【補正対象項目名】００３１
【補正方法】変更
【補正の内容】
【００３１】
また、前記エージェントに内在する情報検索条件にしたがって複数の情報源を切り替えながら検索する手段と、前記検索の結果の情報を記憶する手段と、予め定めた一定の時間が経過する毎か、または一定の時刻になる毎に、前記検索の結果を通知する手段とを備えた構成とする。


【手続補正２８】
【補正対象書類名】明細書
【補正対象項目名】００３２
【補正方法】変更
【補正の内容】
【００３２】
この構成により、ユーザがエージェントを呼び出す手間を省くことができる。


【手続補正２９】
【補正対象書類名】明細書
【補正対象項目名】００３３
【補正方法】変更
【補正の内容】
【００３３】
また、前記エージェントに内在する情報検索条件にしたがって複数の情報源を切り替えながら検索する手段と、前記検索の結果の情報を記憶する手段と、前記記憶した件数が予め設定した件数に達したとき前記検索の結果を報告する手段とを備えた構成とする。


【手続補正３０】
【補正対象書類名】明細書
【補正対象項目名】００３４
【補正方法】変更
【補正の内容】
【００３４】
この構成により、ユーザがエージェントを呼び出す手間を省くことができる。


【手続補正３１】
【補正対象書類名】明細書
【補正対象項目名】００３５
【補正方法】変更
【補正の内容】
【００３５】
また、前記エージェントに内在する情報検索条件にしたがって複数の情報源を切り替えながら検索する手段と、前記検索の結果の情報を記憶する手段と、前記データ総量が予め設定した上限値に達したとき前記検索の結果を報告する手段とを備えた構成とする。


【手続補正３２】
【補正対象書類名】明細書
【補正対象項目名】００３６
【補正方法】変更
【補正の内容】
【００３６】
この構成により、ユーザがエージェントを呼び出す手間を省くことができる。


【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】削除
【補正の内容】
【手続補正５１】
【補正対象書類名】明細書
【補正対象項目名】００５５
【補正方法】削除
【補正の内容】
【手続補正５２】
【補正対象書類名】明細書
【補正対象項目名】００５６
【補正方法】削除
【補正の内容】
【手続補正５３】
【補正対象書類名】明細書
【補正対象項目名】００５７
【補正方法】削除
【補正の内容】
【手続補正５４】
【補正対象書類名】明細書
【補正対象項目名】００５８
【補正方法】削除
【補正の内容】
【手続補正５５】
【補正対象書類名】明細書
【補正対象項目名】００５９
【補正方法】削除
【補正の内容】
【手続補正５６】
【補正対象書類名】明細書
【補正対象項目名】００６０
【補正方法】削除
【補正の内容】
【手続補正５７】
【補正対象書類名】明細書
【補正対象項目名】００６１
【補正方法】削除
【補正の内容】
【手続補正５８】
【補正対象書類名】明細書
【補正対象項目名】００６２
【補正方法】削除
【補正の内容】
【手続補正５９】
【補正対象書類名】明細書
【補正対象項目名】００６３
【補正方法】削除
【補正の内容】
【手続補正６０】
【補正対象書類名】明細書
【補正対象項目名】００６４
【補正方法】削除
【補正の内容】
【手続補正６１】
【補正対象書類名】明細書
【補正対象項目名】００６５
【補正方法】削除
【補正の内容】
【手続補正６２】
【補正対象書類名】明細書
【補正対象項目名】００６６
【補正方法】削除
【補正の内容】
【手続補正６３】
【補正対象書類名】明細書
【補正対象項目名】００６７
【補正方法】削除
【補正の内容】
【手続補正６４】
【補正対象書類名】明細書
【補正対象項目名】００６８
【補正方法】削除
【補正の内容】
【手続補正６５】
【補正対象書類名】明細書
【補正対象項目名】００６９
【補正方法】削除
【補正の内容】
【手続補正６６】
【補正対象書類名】明細書
【補正対象項目名】００７０
【補正方法】削除
【補正の内容】
【手続補正６７】
【補正対象書類名】明細書
【補正対象項目名】００７１
【補正方法】削除
【補正の内容】
【手続補正６８】
【補正対象書類名】明細書
【補正対象項目名】００７２
【補正方法】削除
【補正の内容】
【手続補正６９】
【補正対象書類名】明細書
【補正対象項目名】００７３
【補正方法】削除
【補正の内容】
【手続補正７０】
【補正対象書類名】明細書
【補正対象項目名】００７４
【補正方法】削除
【補正の内容】
【手続補正７１】
【補正対象書類名】明細書
【補正対象項目名】００７５
【補正方法】削除
【補正の内容】
【手続補正７２】
【補正対象書類名】明細書
【補正対象項目名】００７６
【補正方法】削除
【補正の内容】
【手続補正７３】
【補正対象書類名】明細書
【補正対象項目名】００７７
【補正方法】削除
【補正の内容】
【手続補正７４】
【補正対象書類名】明細書
【補正対象項目名】００７８
【補正方法】削除
【補正の内容】
【手続補正７５】
【補正対象書類名】明細書
【補正対象項目名】００７９
【補正方法】削除
【補正の内容】
【手続補正７６】
【補正対象書類名】明細書
【補正対象項目名】００８０
【補正方法】削除
【補正の内容】
【手続補正７７】
【補正対象書類名】明細書
【補正対象項目名】００８１
【補正方法】削除
【補正の内容】
【手続補正７８】
【補正対象書類名】明細書
【補正対象項目名】００８２
【補正方法】削除
【補正の内容】
【手続補正７９】
【補正対象書類名】明細書
【補正対象項目名】００８３
【補正方法】削除
【補正の内容】
【手続補正８０】
【補正対象書類名】明細書
【補正対象項目名】００８４
【補正方法】削除
【補正の内容】
【手続補正８１】
【補正対象書類名】明細書
【補正対象項目名】００８５
【補正方法】削除
【補正の内容】
【手続補正８２】
【補正対象書類名】明細書
【補正対象項目名】００８６
【補正方法】削除
【補正の内容】